(57)【要約】      （修正有）【課題】コンパクトで構造が簡易で、コストが低廉で実用的な腰部、腹部、臀部鍛錬用フィットネス椅子を提供する。【解決手段】フィットネス椅子は、中央が窪んだ２本の凹弧状レール棒を有し、その底端にはスタンド１を設置し、凹弧状レール棒上にはそれぞれ滑車により左右にスライド移動可能な台座体４をスライド可能状態で嵌めて設置し、台座体４頂点部には、ボールベアリングにより回転可能な座席５を可動状に接続し、凹弧状レール棒の左右端には、グリップ３をそれぞれ固定して設置する。使用者は座席５に座り、両手でそれぞれグリップ３を握り、腰部と腹部により座席５を押して移動させ、台座体４を連動させて、凹弧状レール棒に沿って左右にスライドさせ、同時に、力を加えて座席５に回転を生じさせ、両端のストッパー２３を制限とし、往復運動を行う。【選択図】図１
0003169186.tif 000002
【実用新案登録請求の範囲】
【請求項１】
腰部、腹部、臀部鍛錬用フィットネス椅子は、スタンド、凹弧状レール棒、グリップ、台座体、座席から組成し、前記凹弧状レール棒は、レールが２本ある形式で、中央が窪み、両端縁には、ストッパーを備え、前記凹弧状レール棒の底端には、前記スタンドを設置し、これにより床面において安定的に支えることができ、前記凹弧状レール棒上には、それぞれ滑車により、左右にスライド移動可能な台座体を、スライド可能状態で嵌めて設置し、前記台座体頂点部には、ボールベアリングにより、座席を可動状に接続することを特徴とする腰部、腹部、臀部鍛錬用フィットネス椅子。
【請求項２】
前記座席は、角度を固定し回転及びツイストが可能であることを特徴とする請求項１に記載の腰部、腹部、臀部鍛錬用フィットネス椅子。
【請求項３】
前記凹弧状レール棒の左右端には、グリップをそれぞれ固定して設置することを特徴とする請求項１に記載の腰部、腹部、臀部鍛錬用フィットネス椅子。
【請求項４】
前記凹弧状レール棒の側辺には、タイマーを固定して設置することを特徴とする請求項１に記載の腰部、腹部、臀部鍛錬用フィットネス椅子。
【請求項５】
前記凹弧状レール棒上には、環状のフレームカバーを嵌めて固定することを特徴とする請求項１に記載の腰部、腹部、臀部鍛錬用フィットネス椅子。
【請求項６】
前記座席背面部には、背もたれを固定して設置することを特徴とする請求項１に記載の腰部、腹部、臀部鍛錬用フィットネス椅子。
【考案の詳細な説明】
【技術分野】
【０００１】
本考案は腰部、腹部、臀部鍛錬用フィットネス椅子に関し、特に凹弧状レール棒は中央が窪んだレールが２本ある形式で、底端にはスタンドを設置し床面において支え、凹弧状レール棒上にはそれぞれ滑車により左右にスライド移動可能な台座体を、スライド可能状態で嵌めて設置し、台座体頂点部には、ボールベアリングにより、回転可能な座席を可動状に接続し、凹弧状レール棒の左右端には、グリップをそれぞれ固定して設置し、スタンドにより床面において支え、使用者は座席に座り、両手でそれぞれグリップを握り、腰部と腹部により座席を押して移動させ、台座体を連動させて、凹弧状レール棒に沿って左右にスライドさせ、同時に、力を加えて座席に回転を生じさせ、両端のストッパーを制限とし、こうして往復運動を行い、腰部と腹部と臀部を鍛錬する効果と、コンパクトで構造が簡易で、コストが低廉で実用的な構造を達成することができる腰部、腹部、臀部鍛錬用フィットネス椅子に関する。
【背景技術】
【０００２】
食生活の乱れと運動不足に日々さらされている現代人は、健康に対する意識が非常に高い。そのため、アスレチックマシン、或いはフィットネス器具といわれるものが生まれた。しかし、従来のアスレチックマシン、或いはフィットネス器具の中では、腰部、腹部、臀部を同時に鍛錬可能な器具は、極めて少なく、たとえあったとしても、非常に高価で、またはとてつもなく重い。本考案は、従来のフィットネス器具の上記欠点に鑑みてなされたものである。
【考案の概要】
【考案が解決しようとする課題】
【０００３】
本考案が解決しようとする課題は、腰部と腹部と臀部を鍛錬する効果と、コンパクトで構造が簡易で、コストが低廉で実用的な構造を達成することができる腰部、腹部、臀部鍛錬用フィットネス椅子を提供することである。
【課題を解決するための手段】
【０００４】
上記課題を解決するため、本考案は下記の腰部、腹部、臀部鍛錬用フィットネス椅子を提供する。
腰部、腹部、臀部鍛錬用フィットネス椅子は、スタンド、凹弧状レール棒、グリップ、台座体、座席から組成し、該凹弧状レール棒は、中央が窪んだレールが２本ある形式で、底端には該スタンドを設置し床面において支え、凹弧状レール棒上には、それぞれ滑車により左右にスライド移動可能な台座体を、スライド可能状態で嵌めて設置し、台座体頂点部には、ボールベアリングにより、回転可能な座席を可動状に接続し、凹弧状レール棒の左右端には、グリップをそれぞれ固定して設置し、スタンドにより床面において支え、使用者は座席に座り、両手でそれぞれグリップを握り、腰部と腹部により座席を押して移動させ、該台座体を連動させて、凹弧状レール棒に沿って左右にスライドさせ、同時に、力を加えて座席に回転を生じさせ、両端のストッパーを制限とし、こうして往復運動を行い、腰部と腹部と臀部を鍛錬する効果と、コンパクトで構造が簡易で、コストが低廉で実用的な構造を達成することができる。
【考案の効果】
【０００５】
本考案の腰部、腹部、臀部鍛錬用フィットネス椅子は、腰部と腹部と臀部を鍛錬する効果と、コンパクトで構造が簡易で、コストが低廉で実用的な構造を達成することができる。
【図面の簡単な説明】
【０００６】
【図１】本考案実施例の立体図である。
【図２】本考案実施例の正視図である。
【図３】本考案実施例の立体分解図である。
【考案を実施するための形態】
【０００７】
以下に図面を参照しながら本考案を実施するための最良の形態について詳細に説明する。
【実施例】
【０００８】
本考案腰部、腹部、臀部鍛錬用フィットネス椅子は、スタンド１、凹弧状レール棒２、グリップ３、台座体４、座席５を備える。
凹弧状レール棒２は、レールが２本ある形式で、中央が窪み、両端縁には、ストッパー２３を備える。凹弧状レール棒２の底端には、スタンド１を設置し、これにより床面において安定的に支えることができる。
凹弧状レール棒２上には、それぞれ滑車４０により、左右にスライド移動可能な台座体４を、スライド可能状態で嵌めて設置する。
台座体４頂点部には、ボールベアリング４１により、角度を固定し回転及びツイストが可能な座席５を可動状に接続する。
凹弧状レール棒２の左右端には、グリップ３とタイマー２０をそれぞれ固定して設置する。
凹弧状レール棒２上にはさらに、環状のフレームカバー２１を嵌めて設置し、これにより美化と安全増進の作用を達成する。
座席５背面部には、背もたれ５０を固定して設置し、快適性と安全性の効果を確保する。
【０００９】
実際に操作して使用する時には、使用者は、２本のレールを備える凹弧状レール棒２底端に固定して設置するスタンド１により、全体を、床面上にセッティングする。
使用者は、前方より、臀部を座席５上に載せ、両手で、グリップ３を握る。
次に、腰部と腹部を利用し、座席５を押して移動させ、台座体４を連動させて、凹弧状レール棒２に沿って左右にスライドさせる。
同時に、力を加え、座席５に回転を生じさせ、両端のストッパー２３を制限とする。
こうして、往復運動を行い、腰部と腹部と臀部を鍛錬する効果を達成する。
必要に応じて、背もたれ５０、タイマー２０を用い、持久性、安全性、面白味を増強することができる。
また、全体的にコンパクトで、構造が簡易で、コストが低廉であるという特色を備える。
【００１０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１２】
１  スタンド
２  凹弧状レール棒
２０  タイマー
２１  フレームカバー
２３  ストッパー
３  グリップ
３０  滑車
４  台座体
４０  滑車
４１  ボールベアリング
５  座席
５０  背もたれ
【図１】
0003169186.tif 000003
【図２】
0003169186.tif 000004
【図３】
0003169186.tif 000005